(57)【要約】  本発明の対象は、電動歯ブラシ用ブラシヘッドであり、本ブラシヘッドは、中空本体部分（１）と、本体部分（１）内部の前後に回動するシャフト（３）と、本体部分（１）の第１の端部でシャフト（３）によって前後に回動される回動剛毛キャリア（７）と、を備え、シャフト（３）の第２の端部は、シャフト（３）の回動軸に対して傾斜角（Ａ）である突出部（３ａ）を備える。傾斜角（Ａ）は、実質的に２０〜７０度であり、突出部（３ａ）の傾斜は、シャフト（３）の回動軸に向かって方向付けられる。
2017509426.tif 000002
【特許請求の範囲】
【請求項１】
電動歯ブラシ用ブラシヘッドであって、前記ブラシヘッドが、第１の端部および第２の端部を有する中空本体部分と、前記本体部分内部の前後に回動する作動シャフトと、前記本体部分の前記第２の端部で前記作動シャフトによって前後に回動される回動剛毛キャリアと、を備え、前記作動シャフトの一端が前記作動シャフトの回動軸に対して傾斜角である突出部を備え、前記突出部が前記作動シャフトの前記回動軸に向かって延出するように方向付けられ、前記突出部の前記傾斜角が実質的に２０〜７０度である、電動歯ブラシ用ブラシヘッド。
【請求項２】
前記剛毛キャリアが、前記剛毛キャリアを前記作動シャフトによって前後に回動させるように誘導するための、側壁を有する溝を少なくとも有する誘導手段を備える、請求項１に記載の電動歯ブラシ用ブラシヘッド。
【請求項３】
前記溝が前記剛毛キャリアの回動軸に実質的に平行であり、前記剛毛キャリアがその中央位置にあるとき、前記溝が実質的に前記作動シャフトの第２の端部に対して開いており、前記突出部が前記溝の中にあり、そのため、前記作動シャフトがその回動軸を中心にその前後に回動運動すると、前記溝内の前記突出部が旋回し、前記剛毛キャリアを前後に同時に回動させる、請求項２に記載の電動歯ブラシ用ブラシヘッド。
【請求項４】
前記溝が２つの実質的に類似の側壁を有し、前記側壁の相互距離が前記溝の全長において実質的に同じであり、前記側壁の前記相互距離が前記突出部の幅よりも大きい、請求項２または３に記載の電動歯ブラシ用ブラシヘッド。
【請求項５】
前記溝の前記側壁が、実質的に平面、かつ共平面である、請求項２から４のいずれか一項に記載の電動歯ブラシ用ブラシヘッド。
【請求項６】
前記剛毛キャリアの前記誘導手段が、前記剛毛キャリアを振動させるように調整される、請求項２から４のいずれか一項に記載の電動歯ブラシ用ブラシヘッド。
【請求項７】
前記溝の前記側壁が、実質的に波形状である、請求項２から４のいずれか一項に記載の電動歯ブラシ用ブラシヘッド。
【請求項８】
前記溝の前記側壁が、実質的に鋸歯状である、請求項７に記載の電動歯ブラシ用ブラシヘッド。
【請求項９】
前記側壁の前記波形および鋸歯の少なくとも一方が、前記溝の底部に実質的に垂直である、請求項７または８に記載の電動歯ブラシ用ブラシヘッド。
【請求項１０】
前記側壁の前記波形および鋸歯の少なくとも一方が、前記溝の底部に対して実質的に傾斜位置または鋭角にある、請求項７または８に記載の電動歯ブラシ用ブラシヘッド。
【請求項１１】
前記剛毛キャリアの振動の強度または大きさが、前記誘導手段の形状、方向、およびサイズのうちの少なくとも１つを用いて調節可能であるように調整される、請求項７から１０のいずれか一項に記載の電動歯ブラシ用ブラシヘッド。
【請求項１２】
前記剛毛キャリアの前記振動の前記調節が、前記波形または鋸歯の振幅が大きくなるほど、前記振動の前記大きさが強くなり、かつ前記波形または鋸歯の波長が小さくなるほど、前記振動の周波数が高くなるように調整されており、前記剛毛キャリアの前記振動の前記強度または大きさが値０からＮの間で変化するように調整され、０が、振動がないことを意味し、Ｎが所与の最大値であり、ユーザにまたは前記歯ブラシの構造にいずれの危害を加える危険も伴わずに安全に使用することができる振動の量を意味する、請求項１１に記載の電動歯ブラシ用ブラシヘッド。
【請求項１３】
前記剛毛キャリアが、前記溝の前記波形状および鋸歯状の少なくとも一方の側壁の表面で前記突出部を動かすことによって、前記突出部によって前記ブラシヘッドの内部で振動するように調整される、請求項７から１２のいずれか一項に記載の電動歯ブラシ用ブラシヘッド。
【請求項１４】
前記溝と前記突出部との接触が、前記溝の少なくとも１つの側壁と前記突出部の包絡面との間の変化する線接触である、請求項２から１３のいずれか一項に記載の電動歯ブラシ用ブラシヘッド。
【請求項１５】
前記突出部は、その断面が円形または楕円形であり、根元端部から上端部までその断面が実質的に均一である、請求項１から１４のいずれか一項に記載の電動歯ブラシ用ブラシヘッド。
【請求項１６】
前記作動シャフトの回動運動の中央位置において、前記突出部が、前記剛毛キャリアの前記本体部分の後端の方向に角度で傾斜している、請求項１から１５のいずれか一項に記載の電動歯ブラシ用ブラシヘッド。
【請求項１７】
前記作動シャフトの回動運動の中央位置において、前記突出部が、前記溝の長手方向に平行である方向に角度で傾斜している、請求項２に記載の電動歯ブラシ用ブラシヘッド。
【請求項１８】
前記剛毛キャリアの回動角の調節が、前記突出部の前記傾斜角で行われている、請求項１から１７のいずれか一項に記載の電動歯ブラシ用ブラシヘッド。
【請求項１９】
前記ブラシヘッドおよびその構成部品の構造が、前記作動シャフトがその中央位置から前後に９０度回動するときに、前記剛毛キャリアが、前記突出部の前記傾斜角と実質的に等しい角度で、それ自体の中央位置から前後に回動するように寸法決めされ、調整されている、請求項１から１８のいずれか一項に記載の電動歯ブラシ用ブラシヘッド。
【請求項２０】
前記傾斜角が、３０〜４０度である、請求項１から１９のいずれか一項に記載の電動歯ブラシ用ブラシヘッド。
【請求項２１】
前記突出部が、前記作動シャフトの固定された一体型部分であり、前記作動シャフトと同じ材料で作製されている、請求項１から２０のいずれか一項に記載の電動歯ブラシ用ブラシヘッド。
【請求項２２】
組み立て孔が、前記本体部分の前記剛毛キャリアと反対側にある、請求項１から２１のいずれか一項に記載の電動歯ブラシ用ブラシヘッド。
【発明の詳細な説明】
【技術分野】
【０００１】
本発明の対象は、電動歯ブラシ用ブラシヘッドである。
【背景技術】
【０００２】
先行技術において既知の電動歯ブラシは、例えば、前後に回動するプラスチック作動シャフトをそれらの本体部分の内部に収容し、これが次いで、剛毛を備えたプラスチックディスクを収容する剛毛キャリアを前後に回動させる。例えば、金属ばねを備えた金属製のアクチュエータがその作動シャフトに取り付けられ、このアクチュエータが、作動シャフトの往復運動に基づいて前述の剛毛キャリアを更に前後に回動させる。これらの解決策は、多数の構成部品を必要とし、また例えば、金属ばねが埃を集めて、やがてその効果を失い、その場合に全ブラシヘッドがその動作信頼性を失うという問題を有する。更に、先行技術のブラシヘッドは、それらの本体部分の前面、すなわち剛毛キャリアと同じ側に取り付け用の孔を収容する。この場合、歯磨き粉が取り付け孔を通して本体部分の中に入り込み、ブラシヘッドの動作機構に機能不全を引き起こし得ることが問題である。
【０００３】
先行技術においては、本体部分内部のシャフトの上端がピンを収容し、これが剛毛キャリアを前後に回動させるように剛毛キャリアの溝に設置される、スイス特許第ＣＨ６８８５３７  Ａ５号に示される電動歯ブラシのブラシヘッドも既知である。このＣＨ特許は、剛毛キャリアの回動軸に対するピンの位置を、回動軸に向かってまたはそこから離して変更することができる機構を示す。このようにして、剛毛キャリアに対する異なる回動角が得られる。加えて、このＣＨ特許では、剛毛キャリアの回動軸の角度が変更される場合、ピンの角度がそれに対応して変更されなければならないことも言及されている。このＣＨ特許に記載の解決法を用いて、剛毛キャリアに対する少なくとも２つの異なる回動角が得られるが、しかしながら、このＣＨ特許はいかなる方法でも、ピンの角度を変更するだけで、剛毛キャリアに関して正確に所望される回動角が得られるとは示していない。むしろ、剛毛キャリアの回動の角度の変更は、機能不全を起こしやすい難しく複雑な機構を用いて、剛毛キャリアの回動軸からのピンの距離を変更することによって行われている。
【０００４】
米国特許第８，３０２，２３８  Ｂ２号は、シャフト本体の中心軸に対して鋭角に傾斜したダボのようなまたは円筒形のクランク部材を用いて、ブラシヘッド機構に接続されたシャフト本体を通して電気モータによって回動される二重ブラシヘッド機構を有する電動式歯ブラシチップを示す。加えて、クランク部材の遠位端は、シャフト本体の中心軸に向けて方向付けられる。この米国特許の記載は、傾斜角ＡＡのサイズに言及していないが、図面によると角度は約１０度である。この米国特許では、シャフト本体が９０度回動するときに、第２のブラシヘッドが米国特許の図１９に示される角度ＡＡで回動するように、傾斜角を使用して第２のブラシヘッドの回動角を低減する。このため、ここで第２のブラシヘッドの回動角は、たった約±１０度である。加えて、クランク部材が動く溝は滑らかな壁を有し、溝は、溝の底部に向かって拡大する。この場合、クランク部材の自由端の縁部は溝の壁に接触しないが、接触域は、この米国特許の図１９で見ることができるようにクランク部材のおよそ中間部分である。この米国特許の解決策の１つの不利益は、第２のブラシヘッドが少ししか回動せず、効果を改善するために、ブラシヘッド機構が２つのブラシヘッドおよびそれらの間の歯車によって非常に複雑になっていることである。
【０００５】
振動効果を有する電動歯ブラシの１つの不利益は、振動システムが取っ手の内部にあることである。この種類の歯ブラシを使用するとき、この振動は、歯ブラシの取っ手を保持する手に容易に痺れを生じさせる。この理由から、磨く時間が短すぎることがある。加えて、取っ手内部の振動機構は複雑で、更なる欠陥を引き起こし得る。
【発明の概要】
【発明が解決しようとする課題】
【０００６】
本発明の対象は、前述の欠点を排除し、可能な限り少ない数の部品を収容し、このため、その動作機構が単純であり、信頼性があり、かつ製造が容易であり、その場合、製造中の誤りも生じない、電動歯ブラシのブラシヘッドを実現することである。本発明の別の対象は、歯磨き粉がブラシヘッドの本体部分の中に入り込むことができず、その場合、より信頼性が高く、ブラシヘッドが衛生的である、電動歯ブラシのブラシヘッドを実現することである。本発明の更に別の対象は、振動機構が歯ブラシの取っ手内ではなくブラシヘッド内にある電動歯ブラシのブラシヘッドを実現することである。これらの対象を実現するために、本発明による電動歯ブラシ用ブラシヘッドは、請求項１の特性部分において開示されるものによって特徴付けられる。本発明の他の好ましい実施形態は、他の請求項において提示されるものによって特徴付けられる。
【０００７】
本発明による電動歯ブラシ用ブラシヘッドは、先行技術のブラシヘッドと比較していくつかの利点を有する。１つの利点は、ブラシヘッドの信頼性を可能にする構造の簡潔さである。加えて、単純な構造は、良好かつ確実に機能する製品に製造することが容易であり、製造欠陥がない。１つの利点は、振動機構が非常に単純であり、ブラシヘッド内に位置しており、歯ブラシの取っ手を保持する手に痺れを生じさせないという事実でもある。１つの更なる利点は、本発明によるブラシヘッドが、ブラシヘッドの本体部分内に作動シャフトを組み立てるために１つの組み立て孔しか必要とせず、その組み立て孔が本体部分の剛毛キャリアの反対側にあるため、衛生的であるという事実でもある。この場合、剛毛キャリア側に組み立て孔を必要とせず、使用中に歯磨き粉が本体部分の中に入り込む危険性が少ない。
【図面の簡単な説明】
【０００８】
以下において、本発明は、添付図面を参照する１つの好ましい実施形態を用いてより詳細に記載される。
【０００９】
【図１】電動歯ブラシ用ブラシヘッドの本体部分の内部に取り付けられる本発明による作動シャフトを側面図で示す。
【図２】その内部に、図１に記載の作動シャフトがその適所であるがロッキングプラグが依然として部分的に緩んでいる場所に取り付けられる本発明によるブラシヘッドを斜視側面図で、および部分的に断面で示す。
【図２ａ】本体部分の第１の端部から見た本発明によるブラシヘッドの本体部分の内空を示す。
【図３】その内部に、図１に記載の作動シャフトがその適所に取り付けられる本発明によるブラシヘッドの上端を側面図で、および部分的に断面で示す。
【図４】剛毛キャリアを有しない本発明によるブラシヘッドを正面図で示す。
【図５】後方から見た、その中央位置にある本発明による剛毛キャリアを概略的に、および簡略化して示す。
【図６】後方から見た、その回動位置にある本発明による剛毛キャリアを概略的に、および簡略化して示す。
【図７】下方および後方から見た本発明による剛毛キャリアを示す。
【図８】側方および後方から見た部分的に断面の本発明による剛毛キャリアを示す。
【図９】上方および後方から見た本発明による剛毛キャリアを示す。
【図１０】下方から見た本発明の一実施形態による剛毛キャリアを示す。
【図１１】下方から見た本発明の別の実施形態による剛毛キャリアを示す。
【図１２】下方から見た本発明の第３の実施形態による剛毛キャリアを示す。
【図１３】下方から見た本発明の更に別の実施形態による剛毛キャリアを示す。
【図１４】側方から見た部分的に断面の本発明による剛毛キャリアを示す。
【図１５】側方から見た本発明の更に別の実施形態による剛毛キャリアを示す。
【発明を実施するための形態】
【００１０】
本発明による取り換え可能な電動歯ブラシ用ブラシヘッドは、少なくとも、ブラシヘッドの中空本体部分１、本体部分１内部の前後に回動する作動シャフト３、ならびに本体部分１の第２の端部で前後に回動する剛毛キャリア７を備える。有利に、本体部分１、作動シャフト３、および剛毛キャリア７は、プラスチックで作製されるが、同様にそれらは他の好適な材料およびそれらの組み合わせでも作製することができる。
【００１１】
図１は、ブラシヘッドの本体部分１の内部に取り付けられる本発明による作動シャフト３を側面図で示す。作動シャフト３は、その第２の端部または上端に作動シャフト３の長手回動軸に同軸である円筒形のピン４を有する。ピン４は金属で作製されることが好ましく、電動歯ブラシの電気モータが作動シャフト３をその第１の端部または下端で前後に回動させるときに、作動シャフト３の回動軸用の軸ピンとして作用する。ピン４および作動シャフト３の回動軸の側部で、作動シャフト３の第２の末端部は、ピン４を通り過ぎ、作動シャフト３の第２の端部の先端に向かって延出する。
【００１２】
作動シャフト３の第２の端部の先端には、クランク部材として作用する突出部３ａが存在する。突出部３ａは、作動シャフト３の回動軸に対する角度Ａで、その中心軸に対して傾斜している。突出部３ａは、実質的にダボのようであるか、または円筒形であり、その断面は好ましくは円形であるが、その断面は楕円形であってもよく、突出部３ａは作動シャフト３の回動軸に対して角度Ａで延出する。このため、突出部３ａの遠位端は、作動シャフト３の回動軸に対して角度Ａで方向付けられる。突出部３ａの全長は実質的に、均一な断面を有する。加えて、突出部３ａは、作動シャフト３の固定された一体型部分であり、作動シャフト３と同じ材料で作製されている。突出部３ａは、残りの作動シャフト３と同じ材料で、および同じ金型で同じ時間をかけて成型されていることが好ましい。
【００１３】
図２〜図４は、本発明によるブラシヘッドを示す。作動シャフト３は、ブラシヘッドの本体部分１の内部のその適所に取り付けられており、剛毛キャリア７は、本体部分１の第２の端部で適所に取り付けられている。ピン４は、本体部分１の第２の端部の近くに位置している孔５内のその適所にある。孔５内のピン４は、作動シャフト３の第２の端部をその適所に保ち、作動シャフト３が、ピン４および孔５と同軸であるその回動軸を中心に前後に回動することを可能にする。作動シャフト３をその適所でロックすることを目的としたロッキングプラグ６が、本体部分１の第１の端部の内部の最終の適所にないため、図２では、取り付けはまだ完了していない。ロッキングプラグ６は、ブラシヘッドを電動歯ブラシの主本体に、モデル限定的に接続するためのアダプタでもあり、その一次シャフトは、ブラシヘッドの本体部分１の内部の作動シャフト３に同時に接続される。
【００１４】
裏側、すなわち本体部分１の剛毛キャリア７の反対側には、作動シャフト３の組み立てを容易にするため、本体部分１に組み立て孔１ａが存在する。本体部分１の裏側の組み立て孔１ａは、歯磨き粉が本体部分１の中に、組み立て孔が本体部分１の剛毛キャリア７と同じ側に、または本体部分１の両側にある場合と同じくらい簡単に入り込まないことを可能にする。
【００１５】
本体部分１の第２の端部に、本体部分１の背壁から剛毛キャリア７に向かって延出し、剛毛キャリア７の回動シャフトとして作用する、シャフトピン２が存在する。好ましくは金属から作製されるシャフトピン２は、作動シャフト３の回動軸に実質的に垂直であるが、別の角度であってもよい。加えて、剛毛キャリア７は、ロッキング孔９ａを通って本体部分１の第２の端部で剛毛キャリア７の本体の横断溝に設置されるロッキングピン９を用いて、本体部分１の第２の端部にロックされている。ロッキングピン９は、剛毛キャリア７が、シャフトピン２を中心に前後に回動できるが、剛毛キャリア７がシャフトピン２に沿って水平に動くことができず、そのため、剛毛キャリア７がその適所から離れることができないように、剛毛キャリア７をその適所にロックする。
【００１６】
剛毛キャリア７の後部は、剛毛キャリア７の回動軸に平行な実質的に垂直の溝８を収容する。作動シャフト３がその回動軸を中心にその前後に回動運動すると、溝８内の突出部３ａが剛毛キャリア７を同時に前後に回動させるように、剛毛キャリア７がその適所にあるとき、溝８は、作動シャフト３の第２の端部に対して実質的に開いており、突出部３ａが溝８の中に取り付けられる。溝８の幅は、突出部３ａの幅もしくは直径と実質的に同じであるか、または好適に、突出部３ａが溝８に適合することができ、溝８内で旋回することができるように多少幅広い。
【００１７】
図２ａは、本体部分１の第１の端部から見た本発明によるブラシヘッドの本体部分１の内空を示す。図２ａでは、本体部分１は、下向きのその裏側を作動シャフト３および剛毛キャリア７を伴わずに示される。
【００１８】
図５および図６は、後方から見た本発明による剛毛キャリア７を概略的に、および簡略化して示す。図５では、剛毛キャリア７はその中央位置にあり、図６では、剛毛キャリア７はその回動位置にある。作動シャフト３の第２の端部の一部も、図５および図６に示される。
【００１９】
突出部３ａは、作動シャフト３の第２の端部で、例えば、作動シャフト３の回動軸に対して３０度である角度Ａに調整され、突出部３ａの傾斜は、剛毛キャリア７がその回動域の中央位置にあるときに、突出部３ａが剛毛キャリア７から離れて作動シャフト３の回動軸に対して斜めに方向付けられるように、作動シャフト３の回動軸に対して方向付けられる。前述のように、作動シャフト３の回動軸は、ピン４と同軸である。このように、作動シャフト３の回動軸からの突出部３ａと溝８との間の接点の距離は、可能な限り短く、これは構造の耐久性を改善し、同時に所望の回動運動を可能にする。突出部３ａと溝８との間の接点は、溝８の側面８ａと突出部３ａの円筒形または楕円形包絡面３ｂとの間の実質的に変化する線接触である。
【００２０】
図５および図６は、剛毛キャリア７が、作動シャフト３がその回動軸を中心に回動するときに、どのように回動するのかを明確に示す。剛毛キャリア７は、シャフトピン２およびロッキングピン９によって適所にロックされており、このため、孔７ａに嵌入されるシャフトピン２を中心に前後に回動することしかできない。図５では、作動シャフト３および剛毛キャリア７は、それらの中央位置にある。図６では、作動シャフト３は、その中央位置から時計回りに９０度回動している。突出部３ａの傾斜角Ａが例えば３０度のとき、突出部３ａは、作動シャフト３側から垂直に、図６に見られるように、作動シャフト３の回動軸に対してかつピン４に対して同じく３０度で傾斜している。突出部３ａは、剛毛キャリア７の溝８内にあり、突出部３ａの包絡面３ｂと溝８の実質的に平面な側壁８ａとの間の接触は、同じく３０度でその回動軸を中心に剛毛キャリア７が旋回した線接触である。作動シャフト３がその中央位置から反時計回りに回動するとき、剛毛キャリア７は、対応して別の方向に回動する。
【００２１】
概して、本発明によるブラシヘッドおよびその構成部品の構造は、作動シャフト３がその中央位置から前後に９０度回動するときに、剛毛キャリア７がそれ自体の中央位置から突出部３ａの傾斜角Ａと実質的に等しい角度で前後に回動するように寸法決めされ、調整されていることに留意されたい。
【００２２】
作動シャフト３は、電動歯ブラシの主本体の一次シャフトが前後に回動するのと実質的に同じ角度で、かつ同じ相において、その回動軸を中心に前後に回動するように調整され得る。このため、例えば、一次シャフトが３０度時計回りに回動するとき、作動シャフト３は、同時に同じく３０度時計回りに回動し、一次シャフトが３０度反時計回りに回動するとき、作動シャフト３は同時に同じく３０度反時計回りに回動する。その場合、作動シャフト３の全回動角は６０度である。しかしながら、異なる伝達比を使用して、一次シャフトの回動より大きく、またはそれより小さく作動シャフト３を回動させることができる。
【００２３】
突出部３ａの傾斜角Ａも変更することができる。その場合、突出部３ａの傾斜角Ａは調節可能であり、したがって、剛毛キャリア７の回動角も調節可能である。このため、剛毛キャリア７の回動角の調節は、突出部３ａの傾斜角Ａを用いて行われている。その場合、突出部３ａの傾斜角Ａはまた、３０度よりも小さいまたは大きくてもよい。例えば、１０〜８０度、好適には実質的に２０〜７０度、および有利に３０〜４０度、好ましくは約３０度であり得る。
【００２４】
図７〜図９は、異なる位置の本発明による剛毛キャリア７を示す。図７は、下方からまたは取っ手の方向から、および後方から見た剛毛キャリア７を示し、一方図８は側方および後方から見た部分的に断面の剛毛キャリア７を示し、図９は上部および後方から見た剛毛キャリア７を示す。剛毛キャリア７はその前部に剛毛の一群を有し、では、剛毛キャリア７はその後部に、溝８、シャフト孔７ａ、およびシャフト孔７ａを横断する溝７ｂを備える本体を有し、ロッキングピン９が溝７ｂ内にあり、剛毛キャリア７がシャフトピン２から離れることを防ぐときに、剛毛キャリア７の回動運動を可能にするように調整される。
【００２５】
上では、平坦で直線の側壁８ａを有する対称の溝８を備える剛毛キャリア７が記載された。その種類の剛毛キャリア７は、図７および図１０にも記載されている。突出部３ａは水平な溝８で滑らかに動き、同時に剛毛キャリア７を滑らかに回動させる。より効果的な方法で歯を清潔にする剛毛キャリア７の回動、かつ同時の振動を実現することを可能にするために、本発明の別の実施形態が図１１〜図１５に示される。滑らかであるか、または平坦かつ直線である代わりに、側壁８ａは、規則的または不規則な隆起および空洞を有して起伏があってもよく、これは剛毛キャリア７をその回動運動中に振動させる誘導手段として作用する。その場合、剛毛キャリア７の回動軸に対して溝８を垂直に見たとき、側壁８ａは、例えば波状または鋸歯状であってもよい。図１１および図１２は、溝８の側壁８ａが波状である剛毛キャリア７を示す。一方、図１３〜図１５は、溝８の側壁８ａが鋸歯状である剛毛キャリア７を示す。
【００２６】
波形および／または鋸歯の形状、方向、およびサイズは変化してもよい。その場合、波形および／または鋸歯の波長は、より短くてもよく、またはより長くてもよく、波形および／または鋸歯のピーク間の振幅は、より小さくてもよく、またはより大きくてもよい。また、波形および／または鋸歯の形状は、対称または非対称であってもよい。図１１および１２に示される実施形態では、波形のピーク間の振幅は本質的に同じであるが、図１１の波長は、図１２よりも大きい。
【００２７】
図１１〜図１４に示される実施形態では、波形および鋸歯は直線であり、隆起および空洞、例えば波頭８ｂは、溝８の底部に実質的に垂直である。一方、図１５は、鋸歯が傾斜位置にあるか、または溝８の底部に対して鋭角である構造を示す。溝８の側壁８ａの波形も、傾斜位置にあるか、または溝８の底部に対して鋭角であり得る。図１４および図１５に示される波頭８ｂは、その全長にわたって直線であるが、波状の側壁および鋸歯状の側壁の両方で曲線であってもよい。波または鋸歯全体の形状が、その波頭の形状と同様である。
【００２８】
本発明に従って、ブラシヘッドのより精密な剛毛キャリア７は、剛毛キャリア７を振動させる誘導手段を備える。剛毛キャリア７の振動の強度または大きさは、溝８、その側壁８ａ、および側壁８ａ上で可能な波形もしくは鋸歯を備える形状、方向、および／またはサイズの誘導手段を用いて、調節可能に調整される。側壁８ａが平坦かつ直線であるとき、剛毛キャリア７の振動の大きさの値はゼロであり、振動は存在しない。側壁８ａが波状および／または鋸歯状である場合、その波形および／または鋸歯が、剛毛キャリア７がその回動軸を中心に前後に回動するとき、剛毛キャリア７の振動を生じさせる。
【００２９】
剛毛キャリア７の振動の調節は、波形または鋸歯の振幅が大きくなるほど、振動の大きさが強くなり、波形または鋸歯の波長が小さくなるほど、振動の周波数が高くなるように、調整されている。このため、剛毛キャリア７の振動の強度または大きさは、０が、振動がないことを意味し、Ｎが所与の最大値であり、ユーザにまたは歯ブラシの構造にいずれの危害を加える危険も伴わずに安全に使用することができる振動の量を意味する、値０からＮの間で変化するように調整される。
【００３０】
本発明は、上に示される実施形態の例に制限されず、以下に示される特許請求の範囲内で変更し得ることが、当業者には明らかである。
【図１】
2017509426.tif 000003
【図２】
2017509426.tif 000004
【図２ａ】
2017509426.tif 000005
【図３】
2017509426.tif 000006
【図４】
2017509426.tif 000007
【図５】
2017509426.tif 000008
【図６】
2017509426.tif 000009
【図７】
2017509426.tif 000010
【図８】
2017509426.tif 000011
【図９】
2017509426.tif 000012
【図１０】
2017509426.tif 000013
【図１１】
2017509426.tif 000014
【図１２】
2017509426.tif 000015
【図１３】
2017509426.tif 000016
【図１４】
2017509426.tif 000017
【図１５】
2017509426.tif 000018
【国際調査報告】
2017509426.tif 000019
2017509426.tif 000020
2017509426.tif 000021
2017509426.tif 000022